(57)【要約】  【課題】プレイヤーに対して精神的に良好な影響を与えることができるゴルフティーを提供する。  【解決手段】ゴルフティー１０は、ゴルフティー本体１２、このゴルフティー本体１２の一端に形成された載置部１４、ゴルフティー本体１２において載置部１４とは異なる端部に形成された２つの尖端部１６ａ，１６ｂ、この２つの尖端部１６ａ，１６ｂを束ねるリング１８、及びこのリング１８がゴルフティー本体１２から外れることを防止するための留め部材２０ａ，２０ｂを有する。尖端部１６ａ，１６ｂは、ゴルフティー本体１２が二股に分かれて形成されている。２つの尖端部１６ａ，１６ｂのうち、一方の尖端部１６ｂは、ゴルフティー本体１２の軸に対して外側に広がるようにして形成されている。【選択図】図１
2008125545.tif 000002
【特許請求の範囲】
【請求項１】
載置部を有するティー本体と、
前記ティー本体に対する一方向からの力に反発する反発部材と
を具備するゴルフティー。
【請求項２】
前記ティー本体は、前記載置部とは異なる端部に、２つの尖端部を具備し、
前記反発部材は、前記尖端部の一方からなる
請求項１に記載のゴルフティー。
【請求項３】
前記２つの尖端部の一方は、前記ゴルフティー本体の軸に対して外側に広がるようにして形成されている
請求項２に記載のゴルフティー。
【請求項４】
前記２つの尖端部の一方は、他方の側に向けて曲げられている
請求項２に記載のゴルフティー。
【発明の詳細な説明】
【技術分野】
【０００１】
本発明は、ゴルフゲームにおいて使用されるゴルフティーに関する。
【背景技術】
【０００２】
ゴルフゲームにおいて、プレイヤーはゴルフティーをティーグラウンドに挿し、ドライバー等のクラブを用いて、ゴルフティーの上に載置されたボールを打ってティーショットを行う。ティーショットにおいて、ゴルフティーは、スイングの軌道、クラブのフェースの向き等により、前方、右斜め前、左斜め前、後方等に飛ぶ。
【０００３】
スイング軌道がダウンブローになっている場合、ゴルフティーには逆回転がかかるので、ゴルフティーは後方に飛ぶ。ティーショットがこのようなスイング軌道でなされると、スピンがボールに加えられるのでボールは上昇し、飛距離が出る。したがって、一般に、ゴルフティーは後方に飛んだ方が良いといわれる。このため、プレイヤーは、ゴルフティーが後方に飛んだ場合、満足感を得る。
【０００４】
しかしながら、例えば、スイング軌道がアッパー気味である場合、ゴルフティーは前方に飛ぶことが多い。ゴルフティーが前方に飛んでしまうと、ゴルフティーを見つけることが困難になり、プレイヤーはゴルフティーを紛失してしまう場合がある。また、飛距離が出ないことが多い。このような場合、プレイヤーは、精神的に落ち込んでしまう。さらに、ゴルフティーがプラスチック製である場合、ゴルフティーがコースの芝に放置されると、芝刈り機の刃がゴルフティーに引っ掛かって傷められてしまうことがある。
【０００５】
特許文献１においては、ティー本体に非伸縮性の非伸縮ひも体を連結し、この非伸縮ひも体に伸縮可能な弾性ひも体を連結し、さらに錘を連結することにより、ティーアップした場所から近くにしか飛ばないようにして、容易に回収できまた紛失を防止できるゴルフティーが開示されている。
【０００６】
【特許文献１】特開２００４−２０１７６７号公報
【発明の開示】
【発明が解決しようとする課題】
【０００７】
本発明は、上述した背景からなされたものであり、プレイヤーに対して精神的に良好な影響を与えることができるゴルフティーを提供することを目的とする。
【課題を解決するための手段】
【０００８】
上記目的を達成するために、本発明に係るゴルフティーは、載置部を有するティー本体と、前記ティー本体に対する一方向からの力に反発する反発部材とを具備する。
【０００９】
好適には、前記ティー本体は、前記載置部とは異なる端部に、２つの尖端部を具備し、前記反発部材は、前記尖端部の一方からなる。
好適には、前記２つの尖端部の一方は、前記ゴルフティー本体の軸に対して外側に広がるようにして形成されている。
【００１０】
また、好適には、前記２つの尖端部の一方は、他方の側に向けて曲げられている。
【発明の効果】
【００１１】
本発明によれば、プレイヤーに対して精神的に良好な影響を与えることができる。
【発明を実施するための最良の形態】
【００１２】
図１は、本発明の第１の実施形態に係るゴルフティー１０を示す。
図１（Ａ）に示すように、ゴルフティー１０は、ゴルフティー本体１２、このゴルフティー本体１２の一端に形成された載置部１４、ゴルフティー本体１２において載置部１４とは異なる端部に形成された２つの尖端部１６ａ，１６ｂ、この２つの尖端部１６ａ，１６ｂを束ねるリング１８、及びこのリング１８がゴルフティー本体１２から外れることを防止するための留め部材２０ａ，２０ｂを有する。
【００１３】
ゴルフティー本体１２は、木製又はプラスチック製であり、その長さは例えば４０〜７０ｍｍである。載置部１４は、ゴルフボールを載置するための部位である。載置部１４の中心は、ゴルフボールが転がり落ちないように窪んでいる。
【００１４】
尖端部１６ａ，１６ｂは、ゴルフティー本体１２が二股に分かれて形成されている。２つの尖端部１６ａ，１６ｂのうち、一方の尖端部１６ｂは、ゴルフティー本体１２の軸に対して外側に広がるようにして形成されている。尖端部１６ｂは、ゴルフティー本体１２に対する一方向からの力に反発する反発部材を構成する。尖端部１６ａ，１６ｂの長さは、例えば２０〜３０ｍｍである。
【００１５】
リング１８は、例えば、木、プラスチック、ゴム等で形成されている。リング１８には、ゴルフティー本体１２が通されており、リング１８は、ゴルフティー本体１２の軸方向に移動可能に取り付けられている。
【００１６】
留め部材２０ａ，２０ｂは、ゴルフティー本体１２の側面であってリング１８の下方に取り付けられた凸部である。留め部材２０ａ，２０ｂは、例えば、木、プラスチック、ゴム等で形成されている。なお、留め部材２０ａ，２０ｂは、ゴルフティー本体１２の一部であってもよい。
【００１７】
図１（Ｂ）に示すように、尖端部１６ｂは可撓性を有し、他方の尖端部１６ａの方向へ曲げられうる。尖端部１６が尖端部１６ａの方向へ曲げられた場合、尖端部１６は、ゴルフティー本体１２の軸に対して外側の方向に向けて戻ろうとする。一方の尖端部１６ａと他方の尖端部１６ｂとが合わせられた状態で、リング１８が尖端部１６ａ，１６ｂの方向へ移動されると、尖端部１６ａ，１６ｂは、リング１８によりゴルフティー本体１２の軸方向に略平行な状態で保持される。リング１８は、留め部材２０ａ，２０ｂの上部に接する位置まで移動されることができる。
【００１８】
図２は、本発明の第１の実施形態に係るゴルフティー１０の使用方法を示す図である。
図２に示すように、ゴルフティー１０は、尖端部１６ｂが広げられた状態でティーグラウンドに挿されて使用される。プレイヤーは、尖端部１６ｂがスイング方向とは逆の向きを向くように、ゴルフティー１０をティーグラウンドに挿す。ボール２２は、ゴルフティー１０がティーグラウンドに挿された状態で、ゴルフティー１０の載置部１４に載置される。
【００１９】
図中の矢印Ａは、クラブのスイング方向及びボール２２が飛ぶ方向を示す。ボール２２が、矢印Ａの方向にクラブにより強打される際、ゴルフティー本体１２もまたクラブにより強打される場合がある。この場合、ゴルフティー本体１２の載置部１４側の一端は、図中の矢印Ｂの方向に移動され、他端の尖端部１６ａは、尖端部１６ｂの方向に移動される。
【００２０】
尖端部１６ａが尖端部１６ｂの方向に移動されると、尖端部１６ａは、反動により尖端部１６ｂとは反対の方向に付勢される。したがって、ゴルフティー本体１２の載置部１４側の一端は、図中の矢印Ｃの方向に付勢されて、ゴルフティー１０は、矢印Ｃの方向に飛ぶ。このように、力が、ゴルフティー本体１２に対して例えば矢印Ａのように一方向から加えられると、尖端部１６ｂがこの力に反発にすることにより、ゴルフティー１０は、ティーグラウンドから抜けてティーグラウンドの後方に向かって飛ぶ。
【００２１】
このため、ゴルフティー１０は、スイングの軌道、クラブのフェースの向き等に依存せずに後方に飛ぶ。よって、プレイヤーは満足感を得るので、ゴルフティー１０は、プレイヤーに対して精神的に良好な影響を与えることができる。また、ゴルフティー１０の紛失が防がれる。
【００２２】
プレイヤーがゴルフティーを持ち運ぶ場合、プレイヤーは、ゴルフティーを図１（Ｂ）に示される状態にする。このため、プレイヤーは、ゴルフティーを容易に持ち運ぶことができ、例えば衣服の中に入れた場合においても、手を傷つけることなく容易に取り出すことができる。
【００２３】
図３は、本発明の第２の実施形態に係るゴルフティー１０を示す。なお、図３に示された各構成のうち、図１に示された構成と実質的に同一のものには同一の符号が付されている。
図３に示すように、本実施形態に係るゴルフティー１０は、２つの尖端部１６ａ，１６ｂの一方の尖端部１６ｂが他方の尖端部１６ａの側に向けて曲げられている点で、第１の実施形態に係るゴルフティー１０とは異なる。
【００２４】
より具体的には、尖端部１６ｂの端部は、ゴルフティー本体１２の軸方向に曲げられている。好適には、尖端部１６ｂの端部は、ゴルフティー本体１２の軸方向と略平行である。したがって、本実施形態に係るゴルフティー１０によれば、プレイヤーは、ゴルフティー１０を簡単にティーグラウンドに挿すことができる。
【図面の簡単な説明】
【００２５】
【図１】本発明の第１の実施形態に係るゴルフティー１０を示す。
【図２】本発明の第１の実施形態に係るゴルフティー１０の使用方法を示す図である。
【図３】本発明の第２の実施形態に係るゴルフティー１０を示す。
【符号の説明】
【００２６】
１０ ゴルフティー
１２ ゴルフティー本体
１４ 載置部
１６ａ，１６ｂ 尖端部
１８ リング
２０ 留め部材
【図１】
2008125545.tif 000003
【図２】
2008125545.tif 000004
【図３】
2008125545.tif 000005
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
一端に形成され、ボールを載置する載置部と、他端に形成され、地中に挿入される尖端部とを有するティー本体と、
前記尖端部の手前で前記ティー本体から二股に分かれて形成され、前記ティー本体から広がり得るように可撓性を有する反発部材と
を具備し、
前記反発部材は、前記ティー本体の尖端部と共に地中に挿入され、地中に挿入された状態で前記反発部材側から前記ティー本体側への力を受けた場合、当該力の方向とは反対の方向に前記ティー本体を飛ばすように付勢する
ゴルフティー。
【請求項２】
前記ゴルフティー本体の軸方向に移動可能に取り付けられ、前記ゴルフティー本体と前記反発部材とを略平行な状態で保持するリングをさらに有する
請求項１に記載のゴルフティー。
【手続補正２】
【補正対象書類名】明細書
【補正対象項目名】０００８
【補正方法】変更
【補正の内容】
【０００８】
上記目的を達成するために、本発明に係るゴルフティーは、一端に形成され、ボールを載置する載置部と、他端に形成され、地中に挿入される尖端部とを有するティー本体と、前記尖端部の手前で前記ティー本体から二股に分かれて形成され、前記ティー本体から広がり得るように可撓性を有する反発部材とを具備し、前記反発部材は、前記ティー本体の尖端部と共に地中に挿入され、地中に挿入された状態で前記反発部材側から前記ティー本体側への力を受けた場合、当該力の方向とは反対の方向に前記ティー本体を飛ばすように付勢する。
【手続補正３】
【補正対象書類名】明細書
【補正対象項目名】０００９
【補正方法】変更
【補正の内容】
【０００９】
好適には、前記ゴルフティー本体の軸方向に移動可能に取り付けられ、前記ゴルフティー本体と前記反発部材とを略平行な状態で保持するリングをさらに有する。
【手続補正４】
【補正対象書類名】明細書
【補正対象項目名】００１０
【補正方法】削除
【補正の内容】
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
一端に形成され、ボールを載置する載置部と、他端に形成され、地中に挿入される尖端部とを有するティー本体と、
前記尖端部の手前で前記ティー本体から二股に分かれて形成され、前記ティー本体から広がるようにして形成され、かつ前記尖端部の方向へ曲げられ得るように可撓性を有する反発部材と
を具備し、
前記反発部材は、前記ティー本体の尖端部と共に地中に挿入され、地中に挿入された状態で前記ティー本体が前記反発部材側から強打されて前記反発部材側から前記ティー本体側への力を受けた場合、当該力の方向とは反対の方向に前記ティー本体を飛ばすように付勢する
ゴルフティー。
【請求項２】
前記ゴルフティー本体の軸方向に移動可能に取り付けられ、前記ゴルフティー本体と前記反発部材とを略平行な状態で保持するリングをさらに有する
請求項１に記載のゴルフティー。
【手続補正２】
【補正対象書類名】明細書
【補正対象項目名】０００８
【補正方法】変更
【補正の内容】
【０００８】
上記目的を達成するために、本発明に係るゴルフティーは、一端に形成され、ボールを載置する載置部と、他端に形成され、地中に挿入される尖端部とを有するティー本体と、前記尖端部の手前で前記ティー本体から二股に分かれて形成され、前記ティー本体から広がるようにして形成され、かつ前記尖端部の方向へ曲げられ得るように可撓性を有する反発部材とを具備し、前記反発部材は、前記ティー本体の尖端部と共に地中に挿入され、地中に挿入された状態で前記ティー本体が前記反発部材側から強打されて前記反発部材側から前記ティー本体側への力を受けた場合、当該力の方向とは反対の方向に前記ティー本体を飛ばすように付勢する。